(57)【要約】      （修正有）【課題】紙幣をクリップする小銭入れを提供する。【解決手段】小銭入れ１は、少なくともコインを収容する本体部２、及び本体部２の一部に磁着する磁着部材４ｂを有するマネークリップ部４を備える。これにより、マネークリップ部４の磁着部材４ｂを、紙幣を挟んで、コインを収容する本体部２の一部に磁着することで紙幣をクリップし、磁着部材４ｂを本体部２の一部から離すことでクリップした紙幣を取ることができる。【選択図】図５
0003214202.tif 000002
【実用新案登録請求の範囲】
【請求項１】
少なくともコインを収容する本体部と、
前記本体部の一部に磁着する磁着部材を有するマネークリップ部と、
を備えることを特徴とする、小銭入れ。
【請求項２】
前記磁着部材を前記本体部に結合する結合部材をさらに備えることを特徴とする、請求項１に記載の小銭入れ。
【請求項３】
前記結合部材は、前記一部を含む前記本体部の前面に対する背面に結合するシート状部材であることを特徴とする、請求項２に記載の小銭入れ。
【請求項４】
前記シート状部材が前記背面に向かう箇所と前記一部とを結ぶ方向の、前記前面の幅は７６ｍｍ以上であることを特徴とする、請求項３に記載の小銭入れ。
【請求項５】
前記磁着部材は磁石であり、
前記本体部の一部には前記磁着部材の磁石と互いに異なる磁極を対向する磁石が設けられることを特徴とする、請求項１〜４のいずれか一項に記載の小銭入れ。
【請求項６】
前記磁着部材は磁石であり、
前記本体部の一部には磁性部材が設けられることを特徴とする、請求項１〜５のいずれか一項に記載の小銭入れ。
【考案の詳細な説明】
【技術分野】
【０００１】
本考案は、小銭入れに関する。
【背景技術】
【０００２】
財布の代用として紙幣を挟んで携帯するためのマネークリップが知られている。例えば特許文献１には、弾性板材を略Ｕ字形で波形に折曲したクリップ状のクリップ本体と、磁石を有する板材で磁石の磁性によりクリップ本体に着脱可能なフェイス部材とを備えるマネークリップが開示されている。このマネークリップによれば、クリップ本体に紙幣の一端を挟持し、紙幣の他端をクリップ本体方向に折り返した後、フェイス部材を紙幣の他端付近に配設し、紙幣をクリップ本体との間で挟持した状態でフェイス部材をクリップ本体に装着することで、複数枚の紙幣のうち一部を抜き取ることができる。しかし、このようなマネークリップではコインを携帯できず、別途小銭入れを携帯する必要が生じる。
【先行技術文献】
【特許文献】
【０００３】
【特許文献１】特開２００７−１３７００９号公報
【考案の概要】
【考案が解決しようとする課題】
【０００４】
本考案は、紙幣をクリップする小銭入れを提供することを課題とする。
【課題を解決するための手段】
【０００５】
本考案の小銭入れは、少なくともコインを収容する本体部と、本体部の一部に磁着する磁着部材を有するマネークリップ部と、を備える。
【０００６】
これによれば、マネークリップ部の磁着部材を、紙幣を挟んで、コインを収容する本体部の一部に磁着することで紙幣をクリップし、磁着部材を本体部の一部から離すことでクリップした紙幣を取ることができる。
【０００７】
本考案の小銭入れは、磁着部材を本体部に結合する結合部材をさらに備える。
【０００８】
これによれば、結合部材を用いてマネークリップ部の磁着部材を本体部に結合することで、マネークリップ部を本体部に一体化することができる。
【０００９】
本考案の小銭入れは、結合部材は、一部を含む本体部の前面に対する背面に結合するシート状部材であることを特徴とする。
【００１０】
これによれば、本体部の前面と背面との間の側面に開口する収容部を設けることができる。
【００１１】
本考案の小銭入れは、シート状部材が背面に向かう箇所と一部とを結ぶ方向の、前面の幅は７６ｍｍ以上である。
【００１２】
これによれば、本体の前面の一方向の幅が紙幣の短辺の長さより大きいことで、本体部の前面上に紙幣をクリップする際に、前面の幅内に紙幣を挟み込むことができる。なお、本出願時点において日本国紙幣の短辺の長さは７６ｍｍである。
【００１３】
本考案の小銭入れは、磁着部材は磁石であり、本体部の一部には磁着部材の磁石と互いに異なる磁極を対向する磁石が設けられることを特徴とする。
【００１４】
これによれば、磁着部材を本体部の一部の磁石に磁着して、紙幣を挟んで本体部の一部に着脱することができる。
【００１５】
本考案の小銭入れは、磁着部材は磁石であり、本体部の一部には磁性部材が設けられることを特徴とする。
【００１６】
これによれば、磁着部材を本体部の一部の磁石に磁着して、紙幣を挟んで本体部の一部に着脱することができる。ここで、「磁性部材」は例えば鉄板のように磁着部材が磁着できるものである。磁性部材を広い面積とすることもでき、使用法が広がる。
【考案の効果】
【００１７】
本考案によれば、紙幣をクリップする小銭入れを提供することができる。
【図面の簡単な説明】
【００１８】
【図１】図１は、本実施形態に係る小銭入れ１の構成を示す図であり、磁着部材４ｂを本体部２の一部に磁着して結合部材３を閉じた状態を示す。
【図２】図２は、本実施形態に係る小銭入れ１の構成を示す図であり、磁着部材４ｂを本体部２の一部から離して結合部材３を開いた状態を示す。
【図３】図３は、本実施形態に係る小銭入れ１の構成を示す図であり、本体部２のカバー２ａを開いた状態を示す。
【図４】図４は、本実施形態に係る小銭入れ１の構成を示す図であり、本体部２の仕切り２ｂ０の折り返し片を開いた状態を示す。
【図５】図５は、本実施形態に係る小銭入れ１の使用方法を説明するための図である。
【考案を実施するための形態】
【００１９】
以下、本考案の一実施形態について説明する。
【００２０】
図１〜４に、本実施形態に係る小銭入れ１の構成を示す。ここで、図１は、磁着部材４ｂを本体部２の一部に磁着して結合部材３を閉じた状態を示す。図２は、磁着部材４ｂを本体部２の一部から離して結合部材３を開いた状態を示す。図３は、本体部２のカバー２ａを開いた状態を示す。図４は、本体部２の仕切り２ｂ０の折り返し片を開いた状態を示す。それぞれの図において（Ａ）は小銭入れ１の正面図であり、（Ｂ）は側面図である。小銭入れ１は、小銭等を収容するとともに紙幣をクリップすることができる小銭入れであり、本体部２及びマネークリップ部４を備える。なお、構成各部は、革或いは合成革等、可撓性を有する任意の素材から構成することができる。
【００２１】
本体部２は、少なくともコインを収容する筐体であり、カバー２ａ、内箱２ｂ、仕切り２ｂ０を有する。なお、本体部２は、筐体に限らず袋体であってもよい。
【００２２】
カバー２ａは、本体部２の外表面を覆う部材であり、シート状部材２ａ１及び外壁２ａ２を有する。シート状部材２ａ１は、図面上下方向を長手方向とする角丸長方形状の部材であり、上端を図面手前に返して下方に向けて、折り曲げることができる。シート状部材２ａ１の上端側の外面側に、磁性部材４ａが埋設されている。外壁２ａ２は、シート状部材２ａ１の上側の縁部に立設するＵ字状に湾曲する板片である。図３の状態においてカバー２ａを折り曲げることにより、図２の状態のようにシート状部材２ａ１により内箱２ｂの表面及び裏面を覆い、外壁２ａ２により内箱２ｂの左右の側面及び底面を覆う。このとき、本体部２の前面は、略矩形又は馬蹄形になる。
【００２３】
内箱２ｂは、カバー２ａの下半部とともに上面が開口して小銭を収容可能な収容部２ｃ，２ｄを形成する筐体であり、表面２ｂ１及び内壁２ｂ２を有する。表面２ｂ１は、下側のみが角丸の長方形状のシート状部材である。内壁２ｂ２は、表面２ｂ１及びシート状部材２ａ１の下側のそれぞれの縁部の間に接続するＵ字状に湾曲する板片である。
【００２４】
仕切り２ｂ０は、内箱２ｂの内部空間を仕切るシート状部材であり、図面上下方向を長手方向とする角丸長方形状を有する。仕切り２ｂ０は、その下側部及び左右側部を内壁２ｂ２の内面に固定してカバー２ａ及び表面２ｂ１との間にそれぞれ収容部２ｃ，２ｄを形成し、上端を図面手前に返して下方に折り曲げることで収容部２ｄを閉じることができる。
【００２５】
本体部２は、上面の幅（すなわち、横幅）は７６ｍｍ以上であるとする。つまり、本体部２の横幅が紙幣の短辺の長さ及び長辺の長さの２分の１より大きいことで、本体部２の前面上に２つ折りにした紙幣をクリップする際に、紙幣を縦横いずれに向けてクリップしても、少なくとも本体部２の横幅内に紙幣を挟み込むことができる。また、好ましくは、本体部２の前面は、図面上下方向に７６ｍｍ以上の幅を有することとする。つまり、本体部２の前面が、横方向及び縦方向のいずれの幅も紙幣の短辺の長さ及び長辺の長さの２分の１より大きいことで、本体部２の前面上に２つ折りにした紙幣をクリップする際に、紙幣を縦横いずれに向けてクリップしても前面内に紙幣を挟み込むことができる。
【００２６】
マネークリップ部４は、本体部２との間に紙幣をクリップする部分であり、磁性部材４ａ，磁着部材４ｂ及び結合部材３を有する。
【００２７】
磁性部材４ａ，磁着部材４ｂは、互いに異なる磁極を対向して磁着する磁石である。磁性部材４ａはシート状部材２ａ１の上端側の外面側に設けられ、磁着部材４ｂは、結合部材３の上端側に設けられる。これにより、磁着部材４ｂを、紙幣を挟んで、磁性部材４ａが設けられた本体部２の一部に着脱することができる。
【００２８】
結合部材３は、磁着部材４ｂを本体部２の背面に結合するシート状部材であり、上半部が、上側が角丸の台形状を有し、下半部が、下側が角丸の矩形状を有する。結合部材３の下半部の縁部が本体部２、すなわちカバー２ａの背面の縁部に固定されて、結合部材３とカバー２ａとの間に本体部２の上面に開口する収容部（不図示）を設けることができる。また、上半部の上端側に磁着部材４ｂが設けられ、これを結合部材３を用いて本体部２に結合することで、マネークリップ部４を本体部２に一体化することができる。
【００２９】
なお、本体部２の一部に設けられる磁性部材４ａは、磁石に限らず鉄、銅のような金属等の磁性部材であってもよい。それにより、磁着部材４ｂを紙幣を挟んで本体部２の一部に着脱することができる。
【００３０】
なお、結合部材３の下端部にはカバー２ａを開ける際に内箱２ｂを手指で固定するための爪片６が設けられている。
【００３１】
上述の構成の小銭入れ１の使用方法を説明する。図４に示す状態から、図３に示すように本体部２の仕切り２ｂ０の折り返し片を閉じ、図２に示すようにカバー２ａを閉じて内箱２ｂの開口を封じ、図５（Ａ）に示すように紙幣５を２つ折りにして短辺又は２つ折りにした長辺のいずれかを本体部２の上辺に向けて前面上に配し、結合部材３を矢印の方向に折り曲げて、図５（Ｂ）に示すように、磁着部材４ｂを本体部２の前面上の磁性部材４ａに磁着する。それにより、紙幣５がマネークリップ部４により本体部２上にクリップされる。また、磁着部材４ｂを本体部２から離すことでクリップした紙幣５を取ることができる。なお、１枚の紙幣に限らず、複数枚の紙幣をマネークリップ部４によりクリップしてよく、クリップする紙幣の数に応じて磁性部材４ａ，磁着部材４ｂの強さを選んでもよい。
【００３２】
以上詳細に説明したように、本実施形態に係る小銭入れ１は、少なくともコインを収容する本体部２、及び本体部２の一部に磁着する磁着部材４ｂを有するマネークリップ部４を備える。これにより、マネークリップ部４の磁着部材４ｂを、紙幣を挟んで、コインを収容する本体部２の一部に磁着することで紙幣をクリップし、磁着部材４ｂを本体部２の一部から離すことでクリップした紙幣を取ることができる。
【産業上の利用可能性】
【００３３】
本考案の小銭入れは、紙幣をクリップするのに好適である。
【符号の説明】
【００３４】
１      小銭入れ
２      本体部
２ａ    カバー
２ａ１  シート状部材
２ａ２  外壁
２ｂ    内箱
２ｂ１  表面
２ｂ２  内壁
２ｃ    収容部
２ｄ    収容部
３      結合部材
４      マネークリップ部
４ａ    磁性部材
４ｂ    磁着部材
５      紙幣
【図１】
0003214202.tif 000003
【図２】
0003214202.tif 000004
【図３】
0003214202.tif 000005
【図４】
0003214202.tif 000006
【図５】
0003214202.tif 000007